(57)【要約】【課題】省スペースで装飾用ペンダントの着脱操作も容易である入力ペン及び装飾用ペンダントを備える携帯式電子装置を提供すること。【解決手段】本発明に係る携帯式電子装置は、本体部と、前記本体部に装入されて収納される入力ペンと、前記本体部の一端に引掛けられる装飾用ペンダントと、を備える。前記本体部には、抜け止め部及び出口が設けられている。前記入力ペンは、前記出口から前記本体部に装入された後、前記抜け止め部に係合されて前記本体部内に留められる。前記装飾用ペンダントの紐は、前記抜け止め部に引掛けられ且つ前記出口を介して前記本体部から露出する。【選択図】図４
2012022678.tif 000002
【特許請求の範囲】
【請求項１】
本体部と、前記本体部に装入されて収納される入力ペンと、前記本体部の一端に引掛けられる装飾用ペンダントと、を備え、
前記本体部には、抜け止め部及び出口が設けられており、前記入力ペンは、前記出口から前記本体部に装入された後、前記抜け止め部に係合されて前記本体部内に留められ、
前記装飾用ペンダントの紐は、前記抜け止め部に引掛けられ且つ前記出口を介して前記本体部から露出することを特徴とする入力ペン及び装飾用ペンダントを備える携帯式電子装置。
【請求項２】
前記本体部の長手方向に沿う片側には、前記入力ペンを収納するための収容長溝及び前記収容長溝に連通する切欠き部が設けられており、
前記出口は、前記収容長溝の端部に位置し、前記抜け止め部は、前記切欠き部内に突設され且つ前記出口の近傍に位置することを特徴とする請求項１に記載の入力ペン及び装飾用ペンダントを備える携帯式電子装置。
【請求項３】
前記入力ペンは筆先部を備え、前記筆先部の内表面にスロットが設けられ、前記スロットは、その側壁の一部を貫通するように形成されるノッチ及び外部に連通する開口端を有し、
前記装飾用ペンダントの紐は、前記筆先部のノッチ及び開口端を通過して前記本体部から露出することを特徴とする請求項１又は２に記載の入力ペン及び装飾用ペンダントを備える携帯式電子装置。
【請求項４】
前記抜け止め部は、台形凸部を有し、前記筆先部の側面には、前記台形凸部と互いに係合する係合用凹部が設けられることを特徴とする請求項１から３の何れか一項に記載の入力ペン及び装飾用ペンダントを備える携帯式電子装置。
【発明の詳細な説明】
【技術分野】
【０００１】
本発明は、携帯式電子装置に関し、特に入力ペン及び装飾用ペンダントを備える携帯式電子装置に関するものである。
【背景技術】
【０００２】
移動通信技術の発展に伴い、携帯電話及び個人用携帯情報端末（ＰＤＡ）等の携帯式電子装置は、人々の日常生活で不可欠な通信手段になった。現在、殆んどの携帯式電子装置は、タッチパネルに使用する入力ペンを備える。一方、携帯式電子装置は、機能を多様化させながら、軽薄化、小型化及び美観も強く求められている。ユーザーの個性的なニーズを満たすために、通常は携帯式電子装置の端部に取付構造(例えば、取付孔)を設けて、この取付構造に装飾用ペンダントを引掛ける。
【０００３】
しかし、装飾用ペンダントの取付構造は、携帯式電子装置の本体の空間を占有するという欠点がある。従って、携帯式電子装置の全体美観を図り、且つ装飾用ペンダントの取付構造の占有面積を小さくするため、前記取付構造のサイズをできるだけ小さくしている。その結果、装飾用ペンダントの装飾用ペンダントの紐を前記取付構造に着脱させ難いという問題がある。
【発明の概要】
【発明が解決しようとする課題】
【０００４】
本発明は上記の問題点を考慮してなされたものであり、省スペースで装飾用ペンダントの着脱操作も容易である入力ペン及び装飾用ペンダントを備える携帯式電子装置を提供することを目的とする。
【課題を解決するための手段】
【０００５】
上記の目的を達成するために、本発明に係る携帯式電子装置は、本体部と、前記本体部に装入されて収納される入力ペンと、前記本体部の一端に引掛けられる装飾用ペンダントと、を備える。前記本体部には、抜け止め部及び出口が設けられている。前記入力ペンは、前記出口から前記本体部に装入された後、前記抜け止め部に係合されて前記本体部内に留められる。前記装飾用ペンダントの紐は、前記抜け止め部に引掛けられ且つ前記出口を介して前記本体部から露出する。
【発明の効果】
【０００６】
従来の技術と比較すると、本発明に係る携帯式電子装置では、装飾用ペンダントの紐が携帯式電子装置の入力ペンの抜け止め部に引掛けられ、且つ前記入力ペンの筆先部に設けられたスロットを通過して携帯式電子装置の本体部から露出する。従って、本発明に係る携帯式電子装置によれば、別途に装飾用ペンダントを掛止するための孔、リブ或いは台形凸部などを設ける必要がなく、携帯式電子装置に含まれる機構を効率よく利用し、携帯式電子装置の本体部の空間を節約し、前記装飾用ペンダントの着脱操作も容易である。
【図面の簡単な説明】
【０００７】
【図１】本発明の携帯式電子装置の分解図である。
【図２】図１に示した携帯式電子装置の入力ペンを拡大して示す立体斜視図である。
【図３】図１に示した装飾用ペンダントの縄が携帯式電子装置に取付けられている状態を示す図である。
【図４】図１に示した携帯式電子装置の組立図である。
【発明を実施するための形態】
【０００８】
本発明の携帯式電子装置は、入力ペン及び装飾用ペンダントを備える。以下、図面を参照しながら、本発明の実施形態について詳細に説明する。
【０００９】
図１に示したように、本発明の実施形態に係る携帯式電子装置１００は、本体部１０及び前記本体部１０に装着される入力ペン２０を備える。
【００１０】
前記本体部１０は、長方体であり、背面１１、収容長溝１３、出口１５及び抜け止め部１７を備える。前記収容長溝１３は、その形状及び長さが前記入力ペン２０にマッチングし、前記背面１１の長手方向に沿う片側（短手方向の一方側に寄せて長手方向に沿って）に設けられて、前記入力ペン２０を収納するために用いられる。前記出口１５は、前記収容長溝１３に連通するように前記本体部１０の一端に設けられる。ユーザーは、前記出口１５から前記入力ペン２０を前記収容長溝１３内に装入する。前記本体部１０の前記出口１５の近傍には、切欠き部１６が設けられている。前記抜け止め部１７は、前記切欠き部１６の底面に突設されて、台形凸部１７２を有する。前記台形凸部１７２は、前記収容長溝１３に対向し、前記入力ペン２０の前記携帯式電子装置１００からの抜け出しを防止する。
【００１１】
図２に示したように、前記入力ペン２０は、筆軸部２１及び前記筆軸２１の一端に連結される筆先部２３を備える。前記筆先部２３は、互いに反対向きに配置されている外表面２３１及び内表面２３２と、２つの側面２３３と、前記内表面２３２に設けられるスロット２３４と、一方側の側面２３３に凹んで形成される係合用凹部２２６と、を備える。前記外表面２３１には、複数のリブ２３１１が設けられている。複数の前記リブ２３１１は、前記入力ペン２０を引き出す際にユーザーの手と前記外表面２３１との間の摩擦力を増加させる役割を果たしている。前記スロット２３４は、開口端２３４１及びノッチ２３４２を備える。前記開口端２３４１は、前記スロット２３４の前記筆軸２１側の反対側の一端に位置する。前記ノッチ２３４２は、前記スロット２３４の側壁の一部を貫通するように形成される。前記入力ペン２０を前記出口１５から前記収容長溝１３内に装入した後、前記筆先部２３の一部は前記出口１５から露出し、前記台形凸部１７２は前記係合用凹部２２６内に係合される。
【００１２】
図３及び図４に示したように、前記装飾用ペンダントの紐３０を本発明の携帯式電子装置１００に取付ける場合、まず、前記入力ペン２０を前記携帯式電子装置１００から取り出す。次いで、前記装飾用ペンダントの紐３０を前記抜け止め部１７の周りに巻回させると共に、前記装飾用ペンダントの紐３０の端部を前記出口１５から前記本体部１０の外部に出しておく。次に、前記入力ペン２０を再び前記収容長溝１３内に装入する。この際、前記入力ペン２０の開口端２３４１は、前記本体部１０の出口１５から少し露出する。前記装飾用ペンダントの紐３０は、前記筆先部２３のノッチ２３４２及び前記スロット２３４を通過して、前記開口端２３４１から露出する。これにより、前記装飾用ペンダントの紐３０を前記携帯式電子装置１００に取付けた。
【００１３】
前記装飾用ペンダントの紐３０を前記携帯式電子装置１００から取り外す際は、前記携帯式電子装置１００のバックカバー（図示せず）を前記本体部１０から取り外し、且つ前記入力ペン２０を前記出口１５から引き出してから、前記装飾用ペンダントの紐３０を前記抜け止め部１７から取外せばよい。
【００１４】
本発明の実施形態によれば、前記携帯式電子装置１００は、入力ペン２０及び装飾用ペンダントを有する。前記装飾用ペンダントの紐３０は、前記入力ペン２０の抜け止め部１７の周りに巻回され、且つ前記入力ペン２０の筆先部２３の開口端２３４１を通過して前記本体部１０から露出する。即ち、本発明は装飾用ペンダントの紐３０を携帯式電子装置の本体部１０における入力ペン２０を係合するための抜け止め部１７に直接引掛けるため、別途に装飾用ペンダントを固定するための掛止機構を設ける必要がなく、前記携帯式電子装置１００の本体部の空間を節約し、前記装飾用ペンダントの縄３０の着脱操作も容易である。
【００１５】
以上、本発明の好適な実施形態について詳細に説明したが、本発明は前記実施形態に限定されるものではなく、本発明の範囲内で種々の変形又は修正が可能であり、該変形又は修正もまた、本発明の特許請求の範囲内に含まれるものであることは言うまでもない。
【符号の説明】
【００１６】
１０              本体部
１１              背面
１３              収容長溝
１５              出口
１６              切欠き部
１７              抜け止め部
２０              入力ペン
２１              筆軸部
２３              筆先部
３０              装飾用ペンダントの縄
１００            携帯式電子装置
１７２            台形凸部
２３１            外表面
２３２            内表面
２３３            側面
２３４            スロット
２２６            係合用凹部
２３４１          開口端
２３４２          ノッチ
【図１】
2012022678.tif 000003
【図２】
2012022678.tif 000004
【図３】
2012022678.tif 000005
【図４】
2012022678.tif 000006